(57)【要約】【課題】  ２つの筐体をスライド機構を介して、スライド可能に連結されたスライド型携帯電話機は、スライダと溝の間隙によって２つの筐体ががたつく問題があった。【解決手段】  このような２つの筐体間のがたつきを防止するため、本発明は、上筐体１に設けられた溝７を、上筐体１の外面と内面が貫通するよう形成されてスライダ９がスライド可能に形成された第１の溝１４と、この第１の溝に沿って、上筐体１の長手方向に延在するがたつき防止用の突出部８がスライド可能に嵌合する第２の溝１５を含むように形成した。【選択図】  図３
2006093999.tif 000002
【特許請求の範囲】
【請求項１】
少なくとも画像情報を表示する表示部を備えた第１の筐体と、
音声情報が入力される送話部を備えた第２の筐体と、
前記第１の筐体と前記第２の筐体を相対的に平行移動させるスライダを含み、このスライダを介して、前記第１の筐体と前記第２の筐体をスライド可能に結合するスライド機構と、
前記第１の筐体の前記表示部が設けられた正面の反対側の背面において、前記第１の筐体の外面と内面を貫通して形成されるとともに、前記スライド機構が前記第１の筐体の内面側に設けられ、前記第２の筐体と固定された前記スライダが摺動する第１の溝、および前記第１の筐体の外面と内面を貫通しないように形成され、前記第１の溝に沿って延在する第２の溝を有する溝と、
前記第１の筐体と前記第２の筐体が前記スライド機構により結合された状態で、前記第１の筐体と対向する前記第２の筐体の正面側に設けられ、前記溝を形成する前記第２の溝と嵌合する突出部とを設けたことを特徴とするスライド型携帯電話機。
【請求項２】
第１の筐体の背面ないし第２の筐体の正面の何れかに爪が設けられ、この爪が設けられていない他方の筐体に前記爪と嵌合する第３の溝がさらに形成されたことを特徴とする請求項１に記載のスライド型携帯電話機。
【請求項３】
少なくとも画像情報を表示する表示部を備えた第１の筐体と、
音声情報が入力される送話部を備えた第２の筐体と、
前記第１の筐体と前記第２の筐体を相対的に平行移動させるスライダを含み、このスライダを介して、前記第１の筐体と前記第２の筐体をスライド可能に結合するスライド機構と、
前記第１の筐体の前記表示部が設けられた正面の反対側の背面において、前記第１の筐体の外面と内面を貫通して形成されるとともに、前記スライド機構が前記第１の筐体の内面側に設けられ、前記第２の筐体と固定された前記スライダが摺動する溝と、
前記第１の筐体と前記第２の筐体が前記スライド機構により結合された状態で、前記第１の筐体と対向する前記第２の筐体の正面側に設けられ、前記スライダの両端部側において前記溝と嵌合する突起とを設けたことを特徴とするスライド型携帯電話機。
【発明の詳細な説明】
【技術分野】
【０００１】
本発明は、表示部と受話部を備えた上筐体と、操作部と送話部を備えた下筐体とをスライド可能に結合してなるスライド型携帯電話機に関するものであり、特に上筐体と下筐体のがたつきを防止したスライド型携帯電話機に関するものである。
【背景技術】
【０００２】
スライド型携帯電話機は、表示部と受話部を備えた上筐体に対して、操作部と送話部を備えた下筐体がほぼ平行に相対移動して、上筐体の表示部と受話部が露出し、下筐体の操作部が上筐体に覆われている「閉状態」から上筐体の表示部と受話部、下筐体の操作部がともに露出した「開状態」に移行する。スライド型携帯電話機は、かかる動作を実現するために、上筐体と下筐体をスライド可能に結合するスライド機構を有する。
【０００３】
このスライド機構は、「スライドカバー」と「ロックプレート」からなるスライドケース内に摺動可能に「スライダ」が設けられてなる。スライダには、スライドケース内を摺動可能に設けられた状態で、スライドケースから突出して筐体と固定される「ピン」が設けられる。このように構成されたスライド機構は、例えば上筐体に設けられ、スライダのピンを介して下筐体と接続される。スライド機構の構成、およびスライド機構を携帯電話機に取り付ける方法については下記の特許文献１に開示されている。
【０００４】
【特許文献１】特開２００３―１２５０５２号公報
【発明の開示】
【発明が解決しようとする課題】
【０００５】
ところで、上記スライド型携帯電話機は、スライドカバー内を摺動するスライダを介して上筐体と下筐体が連結されている。スライダをスライドカバーに対してなめらかに摺動させるため、スライダとスライドカバーの内壁の間には隙間が存在する。この隙間が、上筐体と下筐体の相対的なねじれやがたつきの原因となっている。かかるねじれやがたつきの発生を防止するため、例えば上筐体側にスライド機構のほか、上筐体の長手方向の両側に「溝」が形成され、下筐体側にこの溝と嵌合する突出部を設けることで、ねじれやがたつきを防止した携帯電話機が特許文献２に開示されている。
【０００６】
【特許文献２】特開２００２―３００２４３号公報
【０００７】
しかし、上記のようながたつき防止用の「突出部」は左右方向のがたつきを防止するため、ある程度の長さを必要とするので、上筐体と下筐体を開状態にしたとき、筐体の背面側に突出部が露出することになり意匠性を損ねている。また、この突出部が嵌合する溝は、溝が設けられた筐体の内部に突出部の頂部が一部露出するため、部品実装領域を狭めてしまうという問題もある。本発明は、上記課題を解決するためになされたものであり、意匠性を損ねず、かつ部品実装領域を狭めずに上筐体と下筐体のがたつきやねじれを防止するスライド型携帯電話機を提供することを目的とする。
【課題を解決するための手段】
【０００８】
本発明に係るスライド型携帯電話機は、少なくとも画像情報を表示する表示部を備えた第１の筐体と、音声情報が入力される送話部を備えた第２の筐体と、第１の筐体と第２の筐体を相対的に平行移動させるスライダを含み、このスライダを介して、第１の筐体と第２の筐体をスライド可能に結合するスライド機構と、第１の筐体の表示部が設けられた正面の反対側の背面において、第１の筐体の外面と内面を貫通して形成されるとともに、スライド機構が第１の筐体の内面側に設けられ、第２の筐体と固定されたスライダが摺動する第１の溝、および第１の筐体の外面と内面を貫通しないように形成され、第１の溝に沿って延在する第２の溝を有する溝と、第１の筐体と第２の筐体がスライド機構により結合された状態で、第１の筐体と対向する第２の筐体の正面側に設けられ、溝を形成する第２の溝と嵌合する突出部とを設けたものである。
【０００９】
本発明に係るスライド型携帯電話機は、少なくとも画像情報を表示する表示部を備えた第１の筐体と、音声情報が入力される送話部を備えた第２の筐体と、第１の筐体と第２の筐体を相対的に平行移動させるスライダを含み、このスライダを介して、第１の筐体と第２の筐体をスライド可能に結合するスライド機構と、第１の筐体の表示部が設けられた正面の反対側の背面において、第１の筐体の外面と内面を貫通して形成されるとともに、スライド機構が第１の筐体の内面側に設けられ、第２の筐体と固定された前記スライダが摺動する溝と、第１の筐体と第２の筐体がスライド機構により結合された状態で、第１の筐体と対向する第２の筐体の正面側に設けられ、スライダの両端部側において溝と嵌合する突起とを設けたものである。
【発明の効果】
【００１０】
本発明に係るスライド型携帯電話機は、少なくとも画像情報を表示する表示部を備えた第１の筐体と、音声情報が入力される送話部を備えた第２の筐体と、第１の筐体と第２の筐体を相対的に平行移動させるスライダを含み、このスライダを介して、第１の筐体と第２の筐体をスライド可能に結合するスライド機構と、第１の筐体の表示部が設けられた正面の反対側の背面において、第１の筐体の外面と内面を貫通して形成されるとともに、スライド機構が第１の筐体の内面側に設けられ、第２の筐体と固定されたスライダが摺動する第１の溝、および第１の筐体の外面と内面を貫通しないように形成され、第１の溝に沿って延在する第２の溝を有する溝と、第１の筐体と第２の筐体がスライド機構により結合された状態で、第１の筐体と対向する第２の筐体の正面側に設けられ、溝を形成する第２の溝と嵌合する突出部とを設けたので、スライド機構が設けられた溝を、スライダが摺動する貫通溝である第１の溝と、がたつき防止用の突出部が嵌合する第２の溝を一体に形成でき、溝にスライダのガイド機能とがたつき防止機能とをともに持たせることが可能になる。
【００１１】
本発明に係るスライド型携帯電話機は、少なくとも画像情報を表示する表示部を備えた第１の筐体と、音声情報が入力される送話部を備えた第２の筐体と、第１の筐体と第２の筐体を相対的に平行移動させるスライダを含み、このスライダを介して、第１の筐体と第２の筐体をスライド可能に結合するスライド機構と、第１の筐体の表示部が設けられた正面の反対側の背面において、第１の筐体の外面と内面を貫通して形成されるとともに、スライド機構が第１の筐体の内面側に設けられ、第２の筐体と固定された前記スライダが摺動する溝と、第１の筐体と第２の筐体がスライド機構により結合された状態で、第１の筐体と対向する第２の筐体の正面側に設けられ、スライダの両端部側において溝と嵌合する突起とを設けたので、スライダを中心とするがたつきをより効率的に防止することができる。
【発明を実施するための最良の形態】
【００１２】
実施の形態１．
以下、この発明の実施の形態１について説明する。図１および図２はスライド型携帯電話機の外観を示す外観斜視図である。図１は上筐体１と下筐体２が閉じられた状態のスライド型携帯電話機を示す。図１のように上筐体１と下筐体２が閉じられた状態では、上筐体１の表示部３と受話部４が露出しており、下筐体２の操作部５と送話部６が上筐体１に覆われている。図２は上筐体１と下筐体２が開けられた状態のスライド型携帯電話機を示す。図２のように上筐体１と下筐体２が開けられた状態では、上筐体１の表示部３と受話部４、下筐体２の操作部５と送話部６がともに露出した状態になる。
【００１３】
図３は、上筐体と下筐体を開いた状態のスライド型携帯電話の背面側外観を示す外観斜視図である。図３において、上筐体１の背面側に、上筐体１の長手方向に沿って延びる溝７が２本形成されている。それぞれの溝７は上筐体１の外側と内側を貫通するように形成されている。この溝７に沿って、上筐体１の内側にスライド機構が設けられ、スライド機構を構成するスライダの一部が溝７から下筐体２方向に突出する。スライド機構自体は、従来から用いられているものを本発明に適用可能であるため、その構成の詳細な説明は省略する。上筐体１の背面側と対向する下筐体２の面には、溝７に沿って延在する突出部８が設けられる。この突出部８は溝７と嵌合することにより、上筐体１と下筐体２ががたつくのを防止する。なお、図３において図１と同一の符号は同一または相当部分を示すので、説明は省略する。
【００１４】
図４は、図３に示すスライド型携帯電話機を分解した分解斜視図である。図４には、上筐体１の背面側に設けられた溝７からスライダ９が突出している様子が明示されている。一方、下筐体２の操作部５および送話部６が設けられた正面側に突出部８と、スライダ９が固定されるスライダ固定部１０が設けられている。スライダ９はスライダ固定部１０にねじなどを用いて固定される。溝７と嵌合する突出部８は、下筐体２の長手方向に延在した形状となっている。図４において、図３と同一の符号は同一または相当部分を示すので説明は省略する。突出部８を溝７に沿って長く形成することにより、上筐体１と下筐体２のがたつきを防止する効果を高めることができる。また、突出部８を下筐体２の操作部５や送話部６が設けられた正面側に形成することにより、上筐体１と下筐体２をスライド可能に結合した状態では、開状態および閉状態に関わらず上筐体１に覆われているため、突出部８が外部に露出することがなくなる。したがって、がたつき防止用の突出部が外部に露出して意匠性を損ねるという問題を解決することができる。
【００１５】
図５は、図３に示すスライド型携帯電話機の断面を示す断面図である。ロックプレート１１とスライドカバー１２より構成されたスライド機構１３はスライダ９を摺動可能に保持している。このスライド機構１３は上筐体１の内面に設けられ、スライダ９の頂部が溝７から突出している。上筐体１の溝７から突出したスライダ９の頂部は下筐体２と固定される。上筐体１に形成された溝７は、上筐体１の外側と内側を貫通する貫通溝である第１の溝１４と、上筐体８に設けられた突出部８が嵌合する第２の溝１５とを含む。第２の溝１５は第１の溝１４の近傍に設けられている。この第２の溝１５は第１の溝１４と異なり、上筐体１の外側と内側を貫通する貫通溝ではない。上筐体１が下筐体２に対してスライドするのに伴って、第２の溝１５に嵌合した突出部８が第２の溝１５に沿ってスライドする。
【００１６】
このように、スライド機構１３が設けられた溝７を、スライダ９が摺動する貫通溝である第１の溝１４と、がたつき防止用の突出部８が嵌合する第２の溝１５を一体に形成することにより、溝７にスライダのガイド機能とがたつき防止機能とをともに持たせることが可能になる。スライダ９のガイドとなる第１の溝１４とがたつき防止用の第２の溝を溝７として一体に形成することにより、従来のスライド型携帯電話機のごとく、がたつき防止用の溝ないし突出部を新たに形成する必要がなくなるので、がたつき防止用の溝ないし突出部により意匠性が損なわれるという問題も解決できる。
【００１７】
実施の形態２．
上記説明の実施の形態１にかかるスライド型携帯電話機は、上筐体１のスライド機構１３が設けられた溝７を、スライダ９が摺動する貫通溝である第１の溝１４と、がたつき防止用の突出部８が嵌合する第２の溝１５を一体に形成することにより、溝７にスライダのガイド機能とがたつき防止機能とをともに持たせていた。また、がたつき防止用の突出部８を溝７に沿って長く形成することにより、上筐体１と下筐体２のがたつきを防止する効果を高めていた。しかし、デザインや部品実装の関係から、突出部８の長さを十分に取れないことも考えられる。突出部８の長手方向の長さを短縮すると、がたつき防止の効果は減少する。以下、突出部８の長手方向の長を充分に取れない場合であっても、がたつき防止機能が損なわれないスライド型携帯電話機について説明する。
【００１８】
図６は、本発明の実施の形態２にかかるスライド型携帯電話機の分解斜視図である。図６において、上筐体１の背面側にはがたつき防止用の爪１６が形成されている。一方、上筐体１の背面側と対向する下筐体１の正面側には、爪１６をガイドする第３の溝１７が形成されている。図６に示すスライド型携帯電話機においても、実施の形態１にかかる携帯電話機と同様、がたつきを防止するための突出部８と、第１の溝１４と第２の溝１５を含む溝７が形成されている。しかし、図６に示すスライド型携帯電話機は、爪１６と第３の溝１７によりがたつき防止機能が一部担保されるため、突出部８の長手方向の長さが短縮されている。なお、図６において、図４に示す符号と同一の符号は同一または相当部分を示すので説明は省略する。
【００１９】
上記説明のスライド型携帯電話機は、実施の形態１にかかるスライド型携帯電話機と同様、スライド機構１３が設けられた溝７を、スライダ９が摺動する貫通溝である第１の溝１４と、がたつき防止用の突出部８が嵌合する第２の溝１５を一体に形成することにより、溝７にスライダのガイド機能とがたつき防止機能とをともに持たせることが可能になる。また、爪１６と第３の溝１７をさらに設けることにより、突出部８の長さを短くすることができるので、設計の自由度が増すという効果がある。さらに、爪１６と第３の溝１７を設けた状態で、突出部８の長さを長くした場合、実施の形態１にかかるスライド型携帯電話機よりもがたつき防止機能がより強化されるという効果がある。
【００２０】
実施の形態３．
実施の形態１および２にかかるスライド型携帯電話機では、上筐体１のスライド機構１３が設けられた溝７を、スライダ９が摺動する貫通溝である第１の溝１４と、がたつき防止用の突出部８が嵌合する第２の溝１５を一体に形成することにより、溝７にスライダのガイド機能とがたつき防止機能とをともに持たせていた。しかし、溝７のようにひとつの溝に第１の溝１４と第２の溝１５を形成せずに、スライダ９の前後に配置された突起部を溝に嵌合させることで、実施の形態１および２と同様のがたつき防止の効果を得ることができる。
【００２１】
図７は、本発明の実施の形態３にかかるスライド型携帯電話機の分解斜視図である。図７において、上筐体１の背面側と対向する下筐体１の正面側には、スライダ９が固定されるスライダ固定部１０の長手方向の前後に、突起１８が設けられている。この突起１８はスライダ９を間にはさみこむように、上筐体１の背面側に形成された溝１９に嵌合し、スライダ９とともに溝１９を摺動する。突起１８は、上筐体１の背面側に２本形成された溝１９において、それぞれスライダ９の前後に計４ヶ所設けられている。この４ヶ所の突起１８がスライダ９の前後に配置されて、スライダ９を中心として回転やねじれによるがたつきを防止する。このように、スライダ９の前後で溝１９に嵌合する突起１８ががたつきを防止するので、実施の形態１および２で説明したスライド型携帯電話機に設けられた、第２の溝１５および突出部８のサイズ分下筐体２の幅を小さくすることができる。なお、図７において、図４に示す符号と同一の符号は同一または相当部分を示すので説明は省略する。
【００２２】
また、図７に示す上筐体１のスライダ固定部１０の前後において、スライダ９をはさむように設けるのではなく、スライダ固定部１０の前後に配置された突起１８のうち、操作部５側の突起１８を、上筐体１の溝１９に平行な位置の操作部５側に設けることが考えられる。図８は、図７に示すスライド型携帯電話機の変形例を示す平面図である。図８（ａ）はスライド型携帯電話機の上筐体１を下筐体２に対して開いた状態を、図８（ｂ）はスライド型携帯電話機の上筐体１を下筐体２に対して閉じた状態を示す。図８において、４箇所の突起１８のうち、操作部５側の２ヶ所の突起１８ａが、操作部５側に近い下筐体１のほぼ中心部付近に設けられ、溝１９と嵌合している。
【００２３】
操作部５側の２ヶ所の突起１８ａを、操作部５側に近い下筐体１のほぼ中心部付近に設けることにより、図８（ａ）のように、スライド型携帯電話機が開かれた状態のとき、下筐体２の端部側に位置する２ヶ所の突起１８が上筐体１のほぼ中央部の溝１９に位置し、下筐体２の操作部５側に位置する２ヶ所の突起１８ａが上筐体１の下側端部の溝１９に位置する。一方、図８（ｂ）のように、スライド型携帯電話機が閉じられた状態のとき、下筐体２の端部側に位置する２ヶ所の突起１８が上筐体１の上側端部の溝１９に位置し、下筐体２の操作部５側に位置する２ヶ所の突起１８ａが上筐体１のほぼ中央部の溝１９に位置する。つまり、下筐体２の上端部側の２ヶ所の突起１８と、下筐体２の操作部５側の２ヶ所の突起１８ａは、スライド型携帯電話機が開かれた状態および閉じられた状態に関わらず、上筐体１の中央部および上側端部（閉状態）ないし下側端部（開状態）の溝１９に位置し、この位置において、上筐体１の溝１９と嵌合して上筐体１を保持するので、スライダ９を中心とするがたつきをより効率的に防止することができる。
【図面の簡単な説明】
【００２４】
【図１】スライド型携帯電話機の外観を示す外観斜視図である。
【図２】スライド型携帯電話機の外観を示す外観斜視図である。
【図３】上筐体と下筐体を開いた状態のスライド型携帯電話の背面側外観を示す外観斜視図である。
【図４】図３に示すスライド型携帯電話機を分解した分解斜視図である。
【図５】図３に示すスライド型携帯電話機の断面を示す断面図である。
【図６】スライド型携帯電話機の分解斜視図である。
【図７】スライド型携帯電話機の分解斜視図である。
【図８】図７に示すスライド型携帯電話機の平面図である。
【符号の説明】
【００２５】
１  上筐体、２  下筐体、３  表示部、４  受話部（スピーカ）、５  操作部、
６  送話部（マイク）、７  溝、８  突出部、９  スライダ、１０  スライダ固定部、
１１  ロックプレート、１２  スライドカバー、１３  スライド機構、１４  第１の溝、１５  第２の溝、１６  爪、１７  第３の溝、１８  突起、１９  溝
【図１】
2006093999.tif 000003
【図２】
2006093999.tif 000004
【図３】
2006093999.tif 000005
【図４】
2006093999.tif 000006
【図５】
2006093999.tif 000007
【図６】
2006093999.tif 000008
【図７】
2006093999.tif 000009
【図８】
2006093999.tif 000010